(57)【要約】【課題】商品の容器とは別に、簡単な構成のデイスプレイ補助具を用意しておき、容器から取り出した商品の陳列に際して、デイスプレイ補助具を利用することによって、消費者に対し購買意欲を喚起できるようにする。【解決手段】デイスプレイ補助具１は、表示帯２の両端に縦方向の折り曲げ線３を介して左右一対の支持片４を連接するとともに、それぞれの支持片４に横方向の折り曲げ線５を介して連結片６を連接し、各連結片６に互いに係合する係止手段７を形成してなり、左右の支持片４を折り曲げ線３により表示帯２に対してほぼ直角に折り曲げて向き合わせ、さらに左右の連結片６を折り曲げ線５により支持片４に対してほぼ直角に折り曲げて重ね合わせ連結片６の重ね合わせ状態で係止手段７を係合させて構成されている。【選択図】図２
0003104586.tif 000002
【実用新案登録請求の範囲】
【請求項１】
横長の表示帯（２）の両端に縦方向の折り曲げ線（３）を介して左右一対の支持片（４）を連接するとともに、それぞれの支持片（４）に横方向の折り曲げ線（５）を介して連結片（６）を連接し、各連結片（６）に互いに係合する係止手段（７）を形成してなり、左右一対の支持片（４）を折り曲げ線（３）により表示帯（２）に対してほぼ直角に折り曲げて向き合わせ、さらに左右の連結片（６）を折り曲げ線（５）により支持片（４）に対してほぼ直角に折り曲げて重ね合わせ、２枚の連結片（６）の重ね合わせ状態で係止手段（７）を係合させることを特徴とするデイスプレイ補助具（１）。
【請求項２】
係止手段（７）を２以上形成し、連結片（６）の重ね合わせ状態で、向き合う支持片（４）の間隔を狭めるように係止手段（７）を係合させることにより、横長の表示帯（２）を屈曲ないし湾曲させることを特徴とする請求項１記載のデイスプレイ補助具（１）。
【考案の詳細な説明】
【技術分野】
【０００１】
本考案は、商品の陳列販売の際に使用するデイスプレイの補助具に関する。
【背景技術】
【０００２】
商品自体が小さいときに、商品の多数の陳列販売によっても、消費者に対して購買意欲が充分に喚起できない。このようなときに、デイスプレイ兼用の容器が利用され、それにセールスポイントや標語、商品説明などが付記される。特許文献１のように、デイスプレイ兼用の容器は、特定の数の商品を収容したまま陳列される。ところが、なるべく多品種の商品を陳列する陳列台では、容器から複数の商品を取り出して並べ換えることがある。このときに容器は使用されないため、そのデイスプレイも機能しなくなってしまう。
【特許文献１】特開平５−２２１４４２号公報
【考案の開示】
【考案が解決しようとする課題】
【０００３】
したがって、本考案の課題は、商品の容器とは別に、簡単な構成のデイスプレイ補助具を用意しておき、容器から取り出した商品の陳列に際して、デイスプレイ補助具を利用することによって、消費者に対し購買意欲を喚起できるようにすることである。
【課題を解決するための手段】
【０００４】
上記の課題のもとに、本考案は、横長の表示帯の両端に縦方向の折り曲げ線を介して左右一対の支持片を連接するとともに、それぞれの支持片に横方向の折り曲げ線を介して連結片を連接し、各連結片に互いに係合する係止手段を形成してなり、左右一対の支持片を折り曲げ線により表示帯に対してほぼ直角に折り曲げて向き合わせ、さらに左右の連結片を折り曲げ線により支持片に対してほぼ直角に折り曲げて重ね合わせ、２枚の連結片の重ね合わせ状態で係止手段を係合させることによって、デイスプレイ補助具を構成している（請求項１）。
【０００５】
さらに、本考案は、係止手段を２以上形成し、２枚の連結片の重ね合わせ状態で係止手段を係合させ、向き合う支持片の間隔を狭めることにより、横長の表示帯を屈曲ないし湾曲させている（請求項２）。なお、係止手段は、長孔とこの長孔に挿入可能な舌片とで構成するか、または組み立て状態で互いに異なる向きに開放する溝により構成する。
【考案の効果】
【０００６】
本考案によると、商品の容器とは別に、簡単な構成のデイスプレイ補助具が用意され、容器から取り出した商品の陳列に際して、デイスプレイ補助具が複数の商品の前部分を取り囲んで整列させるとともに、横長の表示帯が商品の前面に位置してセールスポイントや標語、商品説明に供されるため、その商品の存在、商品の特長などを消費者に訴え、消費者に対し購買意欲を喚起することができる（請求項１）。
【０００７】
また、横長の表示帯が屈曲ないし湾曲していると、標語や商品説明の部分が前面に張り出すため、消費者による認知が一層高められる（請求項２）。
【考案を実施するための最良の形態】
【０００８】
図１は、本考案に係るデイスプレイ補助具１の展開状態を示している。デイスプレイ補助具１は、厚紙を材料とし、横長の表示帯２の両端に縦方向の折り曲げ線３を介して左右一対の支持片４を連接するとともに、それぞれの支持片４に横方向の折り曲げ線５を介して連結片６を連接し、各連結片６に互いに係合する係止手段７を形成した平板状の紙型として構成される。なお、横方向とは表示帯２の長手方向（図１で左右方向）をいい、また縦方向とは横方向に交差する方向（図１で上下方向）をいう。
【０００９】
係止手段７は、連結片６の一部を利用して、一方の連結片６に長孔７１を、また他方の連結片６に長孔７１に挿入可能な舌片７２とで構成されている。なお長孔７１は１個で足りるが、必要に応じて２以上例えば２個設ける。これは、後述するように、デイスプレイ補助具１の使用時に、左右の連結片６を重ね合わせ、向き合う支持片４の間隔をさらに狭めるように、係止手段７（長孔７１・舌片７２）を係合させて、横長の表示帯２を前方へ大きく屈曲させるかまたは大きく湾曲させるためである。
【００１０】
上記のデイスプレイ補助具１は、厚紙を打ち抜き型により打ち抜くと同時に、折り曲げ線３、５を押し型により形成するこうとにより、展開状態のものとして製造される。この展開状態のデイスプレイ補助具１は、商品の包装容器の中に入れるか、または販売促進用として単独で販売店に配布される。なお、表示帯２の面にセールスポイントや標語、商品説明などが印刷により表記される。
【００１１】
商品の販売に際して、店員や販売促進員は、図２に示すように、表示帯２を前側上方に位置させ、左右一対の支持片４を折り曲げ線３により表示帯２に対してほぼ直角に折り曲げて向き合わせ、さらに左右の連結片６を折り曲げ線５により支持片４に対してほぼ直角に折り曲げて重ね合わせ、２枚の連結片６の重ね合わせ状態で係止手段７つまり一方の連結片６の長孔７１に他方の連結片６の舌片７２を挿入することによって、一方の連結片６と他方の連結片６とを係合させ、デイスプレイ補助具１を組み立てる。
【００１２】
デイスプレイ補助具１の組み立て状態で、表示帯２、左右一対の支持片４および重ね合わせ状態の２枚の連結片６は、それぞれ仮想六面体の正面、左右の側面および底面に位置している。このとき、表示帯２は前方へ張り出す。この表示帯２の張り出しのためには、組み立て状態で（左右の支持片４の間隔）＜（表示帯２の横方向の長さ）でなければならない。なお、表示帯２の中心に縦方向の１つの折り曲げ線８を設けておけば、表示帯２はその折り曲げ線８の部分で屈曲し、三角柱の２面を構成して前方へ張り出す。これに対して表示帯２に折り曲げ線８が設けられていないとき、表示帯２は円または楕円の周面を構成しながら湾曲し、前方へ張り出すことになる。
【００１３】
この組み立て状態で、デイスプレイ補助具１は、陳列棚などの上に載置される。陳列棚が前傾しているとき、通常、陳列棚の前端に滑り止めがあるため、デイスプレイ補助具１が滑り落ちることはない。そして、複数の商品９は、運搬用の容器などから取り出され、図２のように、左右の支持片４の間で重ね合わせ状態の連結片６の上に収容される。商品９の陳列状態で、表示帯２は前方に張り出すことにより消費者に注意を喚起する。
【００１４】
なお、図３に示すように、表示帯２および左右一対の支持片４を同一の垂直な平面に置き、これらに対して左右の連結片６を折り曲げ線５によりほぼ直角に折り曲げれば、異なる大きさの商品９にも対応できる。もちろん、図２と同じ大きさの商品９であれば、図２のときよりも、多くの商品９を陳列できることなになる。この陳列形態でも、必要に応じて左右の連結片６の間隔を狭めれば、表示帯２を前方へ張り出させることもできる。
【００１５】
係止手段７は、図４のように、組み立て時に異なる向きに開放して互いに係り合う溝７３、７４などにより構成できる。さらに係止手段７は、連結片６を利用しないで例えば両面テープ、接着剤、ステプラー針（ホッチキス針）などにより構成することもできる。なお、表示帯２に２つの折り曲げ線８を設けておけば、表示帯２はその折り曲げ線８の部分で屈曲し、多角柱の面に沿って張り出すことになる。また、表示帯２の形状は、図４のように、セールスポイントや標語、商品説明などの表記形式に応じて、チャンピオンベルト状として、なるいは図示しないが任意の形状として構成することもできる。
【産業上の利用可能性】
【００１６】
本考案は、箱形、瓶形、缶形のすべての商品９に利用できる。また、表示帯２、支持片４さらに連結片６の具体的な形状は、前記のように、図示の例に限定されず、デイスプレイ効果を考慮して任意に形成できる。
【図面の簡単な説明】
【００１７】
【図１】本考案のデイスプレイ補助具１の展開図である。
【図２】本考案のデイスプレイ補助具１の組み立て状態の斜面図である。
【図３】本考案のデイスプレイ補助具１の他の組み立て状態の斜面図である。
【図４】本考案のデイスプレイ補助具１の他の展開図である。
【符号の説明】
【００１８】
１  デイスプレイ補助具
２  表示帯
３  折り曲げ線
４  支持片
５  折り曲げ線
６  連結片
７  係止手段
７１  長孔
７２  舌片
７３  溝
７４  溝
８  商品
【図１】
0003104586.tif 000003
【図２】
0003104586.tif 000004
【図３】
0003104586.tif 000005
【図４】
0003104586.tif 000006